(57)【特許請求の範囲】
【請求項１】
カランの表面の一部に半透光性を有するハーフミラーからなる操作表示部を設けると共に、前記操作表示部への手指の接触を検出する接触検出手段を設け、前記接触検出手段が手指の接触を検出した時に前記操作表示部の内側を照らして表示を視認可能とする光源を設けて成ることを特徴とする水栓装置。
【請求項２】
光源の発光部を文字又は記号又は図形からなる表示の形状に形成して成ることを特徴とする請求項１記載の水栓装置。
【請求項３】
操作表示部の裏面に文字又は記号又は図形からなる表示の形状をした非透光部を形成して成ることを特徴とする請求項１記載の水栓装置。
【請求項４】
操作表示部の裏面に文字又は記号又は図形からなる表示の形状をした透光部が形成されるようにマスキングを施して成ることを特徴とする請求項１記載の水栓装置。
【請求項５】
操作表示部の裏面側に表面に文字又は記号又は図形からなる表示を表面に施した表示板部を設けると共に、表示板部と操作表示部との間に光源を設けて成ることを特徴とする請求項１記載の水栓装置。
【発明の詳細な説明】
【技術分野】
【０００１】
本発明は、水栓装置に関するものである。
【背景技術】
【０００２】
最近の水栓装置は、手動で栓を開閉するものに替わって、電磁弁等で開閉してスイッチ操作のみで吐水・止水を行うものがよく使用されるようになっている（例えば特許文献１参照）。
【０００３】
このような水栓装置は、蛇口管またはその近傍に押し釦等からなる操作部を設け、操作部を操作することで、吐水・止水を行ったり、あるいは、アルカリ水、酸性水の生成機能や浄水機能を有する整水器を備えた水栓装置にあっては、水道水を直接吐水するだけでなく前記整水器により生成した種々の水の吐水の切り替えを行うことができる。
【０００４】
近年、このような水栓装置はシステムキッチン等においてビルトインタイプによく用いられるが、このようなものは高級志向が強く、外観として一体感があってすっきりしたものが好まれる傾向にある。
【０００５】
このため、従来の上記水栓装置にあっては、操作部の押し釦等が露出して見えてしまい、周囲の部材との一体感がなく、高級感が損なわれかねないものであった。
【特許文献１】特開平１０−５７９６２号公報
【発明の開示】
【発明が解決しようとする課題】
【０００６】
本発明は上記の従来の問題点に鑑みて発明したものであって、その目的とするところは、操作部の押し釦等が露出してしまって高級感が損なわれることのない水栓装置を提供することを課題とするものである。
【課題を解決するための手段】
【０００７】
上記課題を解決するための本発明の水栓装置にあっては、カラン５１の表面の一部に半透光性を有するハーフミラーからなる操作表示部１を設けると共に、前記操作表示部１への手指の接触を検出する接触検出手段を設け、前記接触検出手段が手指の接触を検出した時に前記操作表示部１の内側を照らして表示６１を視認可能とする光源２を設けて成ることを特徴とするものである。
【０００８】
このような構成とすることで、使用していない時に、操作表示部１はハーフミラーとなって内部は見えず外部の光が表面で反射され、カラン５１と同じ色彩及び光沢に見えてカラン５１と一体感があってカラン５１の存在のみが感じられて、押し釦等の部材が露出して見えて高級感が損なわれるといったことがない。また、使用している時には、光源２の発光部を発光させることでハーフミラー越しに内部の各表示６１が見えて、高級感を醸し出すことができる。
【０００９】
また、請求項２の発明は、請求項１の発明において、光源２の発光部を文字又は記号又は図形からなる表示６１の形状に形成して成ることを特徴とするものである。
【００１０】
このような構成とすることで、使用していない時に押し釦等の部材が露出して見えて高級感が損なわれるといったことがないうえに、使用している時にも高級感を醸し出すことができる。
【００１１】
また、請求項３の発明は、請求項１の発明において、操作表示部１の裏面に文字又は記号又は図形からなる表示６１の形状をした非透光部１２を形成して成ることを特徴とするものである。
【００１２】
このような構成とすることで、使用していない時に押し釦等の部材が露出して見えて高級感が損なわれるといったことがないうえに、使用している時にも高級感を醸し出すことができる。
【００１３】
また、請求項４の発明は、請求項１の発明において、操作表示部１の裏面に文字又は記号又は図形からなる表示６１の形状をした透光部１３が形成されるようにマスキングを施して成ることを特徴とするものである。
【００１４】
このような構成とすることで、使用していない時に押し釦等の部材が露出して見えて高級感が損なわれるといったことがないうえに、使用している時にも高級感を醸し出すことができる。
【００１５】
また、請求項５の発明は、請求項１の発明において、操作表示部１の裏面側に表面に文字又は記号又は図形からなる表示６１を表面に施した表示板部６を設けると共に、表示板部６と操作表示部１との間に光源２を設けて成ることを特徴とするものである。
【００１６】
このような構成とすることで、使用していない時に押し釦等の部材が露出して見えて高級感が損なわれるといったことがないうえに、使用している時にも高級感を醸し出すことができる。
【発明の効果】
【００１７】
本発明にあっては、使用していない時に押し釦等の部材が露出して見えて高級感が損なわれるといったことがないうえに、使用している時にも高級感を醸し出すことができる。
【発明を実施するための最良の形態】
【００１８】
以下、本発明を添付図面に基いて説明する。本実施形態では流し台にアルカリ整水器４がビルトインされていて、水道水を吐水する水栓装置５及びカラン５１と、アルカリ整水器４が接続されてアルカリ水等を吐水する水栓装置５及びカラン５１とが別々となっており、本発明の水栓装置５はアルカリ整水器４が接続された方の水栓装置５に適用されている。
【００１９】
図６に全体構成図を示す。符号は水道管３１、は水道管３１より水道水をそのまま吐水するため配管３２、は前記配管３２のカラン５１、は前記配管３２の水栓（図示せず）を手動で開閉する開閉操作部３４である。
【００２０】
アルカリ整水器４は、ろ過された水道水を電解槽で電気分解して生成したアルカリ水、酸性水のいずれかを使用したり、ろ過された水道水を浄水として使用するもので、水道管３１から分岐した給水管４１を介して水道水が供給される。アルカリ整水器４内には、図示しないが、給水管４１からの水道水の供給のＯＮ／ＯＦＦを行う電磁弁と、水道水をろ過するための浄水器と、ろ過した水道水を電気分解する電解槽と、電解槽での通電や電磁弁の制御、後述する操作表示部１からの入力情報を処理する制御部とが収容されており、電気分解したアルカリ水、酸性水を水栓装置５に供給する吐水用管４２と排水用管４３とが接続されている。
【００２１】
このアルカリ整水器４では、操作表示部１からの入力によりアルカリ水の吐水が選択されている時には、電解槽で生成されたアルカリ水が吐水用管４２を介して水栓装置５のカラン５１より吐水されると共に電解槽で生成された酸性水が排水用管４３を介して水栓装置５の排水管５２より吐水され、操作表示部１からの入力により酸性水の吐水が選択されている時には、電解槽で生成された酸性水が吐水用管４２を介して水栓装置５のカラン５１より吐水されると共に電解槽で生成されたアルカリ水が排水用管４３を介して水栓装置５の排水管５２より吐水され、また、操作表示部１からの入力により浄水が選択されている時には、電解槽では電気分解が行われず浄水器でのろ過のみが行われた状態で吐水用管４２を介してカラン５１より吐水される。
【００２２】
次に、本発明の水栓装置５の操作表示部１について説明する。
【００２３】
本実施形態では、操作表示部１がタッチパネルで構成してあると共に、このタッチパネルからなる操作表示部１に手指を接触した際にこの手指の接触を検出する接触検出手段が設けてあり、操作表示部１と接触検出手段とでタッチパネルスイッチが構成される。
【００２４】
タッチパネルは静電式、感圧式のいずれでもよく、半透光性を有するハーフミラーとなっている。本実施形態では、ハーフミラーの反射時にはカラン５１の色彩及び光沢（例えばクロムシルバー色）と同様の色彩及び光沢を帯びるようにするのが好ましい。そして、接触検出手段は、タッチパネルのどの箇所に手指が接触したかを検出することができて、タッチパネルの接触した場所に応じて複数種類の入力が可能となっている。
【００２５】
このタッチパネルからなる操作表示部１は、水栓装置５の表面の一部に設けられるもので、本実施形態では、水栓装置５のカラン５１の上面にカラン５１の上蓋として設けてある。なお、本実施形態のカラン５１は、流し台から上方に突出する縦筒部５１ａと、縦筒部５１ａから前方に突出する横筒部５１ｂとからなる側面視逆Ｌ字状をした筒状のものであり、この筒内に吐水用管４２と排水用管４３とが挿通され、吐水用管４２の末端部は横筒部５１ｂの前端部の下面開口５３から下方に露出すると共に、排水用管４３の末端部は縦筒部５１ａの側壁の開口５４から前方に露出している。
【００２６】
横筒部５１ｂは、断面略矩形状をしており、その上面に操作表示部１となるタッチパネルを取り付けてあり、タッチパネルからの配線および後述する光源２からの配線は縦筒部５１ａ内を挿通されて制御部又は電源に接続される。
【００２７】
以下、各実施形態についてそれぞれ図に基づいて説明する。
【００２８】
図１に示す実施形態では、光源２を配設した表示板部６を操作表示部１の裏面側（すなわち、横筒部５１ｂの内側）に配設したものである。
【００２９】
操作表示部１となるタッチパネルは、上述したように接触した場所に応じて複数種類の入力が可能となっていて、複数の区画がそれぞれ異なる操作スイッチ１１となっている。本実施形態では、アルカリ水のカラン５１からの吐出を選択する「アルカリ」スイッチ１１ａ、酸性水のカラン５１からの吐出を選択する「酸性」スイッチ１１ｃ、浄水のみを選択する「浄水」スイッチ１１ｂ、止水、通水を切り替える「止水／通水」スイッチ１１ｄ、を有しているが、特にこれらに限定されず、他の機能を有していたり、あるいは吐水・止水のスイッチ等の一つのスイッチのみを有していてもよい。
【００３０】
そして表示板部６には、上記操作表示部１の各操作スイッチ１１に対応する部分（すなわち、操作表示部１の裏面側に配設された際に使用者が上方から見て重なる位置）に、各表示６１が形成してある。すなわち、タッチパネルの「アルカリ」スイッチ１１ａに対応する部分には「アルカリ」表示６１ａ、「酸性」スイッチ１１ｃに対応する部分には「酸性」表示６１ｃ、「浄水」スイッチ１１ｂに対応する部分には「浄水」表示６１ｂ、「止水／通水」スイッチ１１ｄに対応する部分には「止水／通水」表示６１ｄ、が設けられ、さらにタッチパネルに対応するスイッチはないがカートリッジの交換を促す「カートリッジ交換」表示６１ｅも設けてある。
【００３１】
本実施形態においては、表示板部６に設ける光源２の発光部の形状を、これらの表示６１部の表示６１である文字（本実施形態は文字のみであるが、記号や図形やこれらの組み合わせでもよい）の形状に形成してある。
【００３２】
この水栓装置５は、使用しない場合には光源２の発光部を発光しないようにし、使用する場合、例えばカラン５１の上面に設けた操作表示部１に手指を触れてこれを接触検出手段が検出した時に、光源２の発光部を発光するようにしている。
【００３３】
これにより、水栓装置５を使用していない場合には、操作表示部１はハーフミラーとなって内部は見えず外部の光が表面で反射され、上述したようにカラン５１と同じ色彩及び光沢に見えてカラン５１と一体感があり、さらに言えば操作スイッチ１１の存在すら感じさせずカラン５１の存在のみが感じられる。そして水栓装置５を使用する時にのみ光源２の発光部を発光させて、ハーフミラー越しに内部の各表示６１が見える。これにより、従来のように使用していない時に押し釦等の部材が露出して見えて高級感が損なわれるといったことがなく、また、使用している時にも高級感を醸し出すことができる。
【００３４】
次に、図２に示す実施形態について説明する。上実施形態と同じ部部については同符号を付して説明を省略し、異なる部分について説明する。本実施形態では、操作表示部１の裏面に表示６１の形状をした非透光部１２を形成してある。
【００３５】
光源２を配設した表示板部６には、各操作スイッチ１１に対応する区画毎に仕切って隣接する区画に光が漏れないようにする仕切壁６２を立設し、表示板部６の各区画にそれぞれ光源２の発光部を設けてあり、水栓装置５を使用しない場合には発光部を発光しないようにすると共に使用する場合に発光部を発光するのは上実施形態と同じである。
【００３６】
本実施形態においては、水栓装置５を使用していない時には、操作表示部１の内部は見えずカラン５１の存在のみが感じられるものであり、水栓装置５を使用する時には、発光部からの光が操作表示部１を透過する時に各操作スイッチ１１に対応する部分に形成した非透光部１２の形状が影となって使用者に見えて、従来のように使用していない時に押し釦等の部材が露出して見えて高級感が損なわれるといったことがないうえに、使用している時にも高級感を醸し出すことができる。
【００３７】
次に、図３に示す実施形態について説明する。上実施形態と同じ部部については同符号を付して説明を省略し、異なる部分について説明する。本実施形態では、操作表示部１の裏面に表示６１の形状をした透光部１３が形成されるように非透光部１２にてマスキングを施してある。
【００３８】
光源２を配設した表示板部６には、各操作スイッチ１１に対応する区画毎に仕切って隣接する区画に光が漏れないようにする仕切壁６２を立設し、表示板部６の各区画にそれぞれ発光部を設けてあり、水栓装置５を使用しない場合には発光部を発光しないようにすると共に使用する場合に発光部を発光するのは上実施形態と同じである。
【００３９】
本実施形態においては、水栓装置５を使用していない時には、操作表示部１の内部は見えずカラン５１の存在のみが感じられるものであり、水栓装置５を使用する時には、発光部からの光が操作表示部１を透過する時に各操作スイッチ１１に対応する部分に形成した透光部１３の形状が使用者に光って見えて、従来のように使用していない時に押し釦等の部材が露出して見えて高級感が損なわれるといったことがないうえに、使用している時にも高級感を醸し出すことができる。
【００４０】
次に、図４に示す実施形態について説明する。上実施形態と同じ部部については同符号を付して説明を省略し、異なる部分について説明する。本実施形態では、操作表示部１の裏面側に表面に表示６１を表面に施した表示板部６を設けると共に、表示板部６と操作表示部１との間に光源２を設けてある。
【００４１】
表示板部６には、上記操作表示部１の各操作スイッチ１１に対応する部分に、各表示６１部、すなわち「アルカリ」表示６１ａ、「酸性」表示６１ｃ、「浄水」表示６１ｂ、「止水／通水」表示６１ｄ、「カートリッジ交換」表示６１ｅ、が印刷により形成してあると共に、各区画毎に仕切って隣接する区画に光が漏れないようにする仕切壁６２を立設し、更に、仕切壁６２とは別に立上壁６３を表示板部６の表面から立設して、この立上壁６３に各区画内を照射する発光部が設けてある。そして、水栓装置５を使用しない場合には発光部を発光しないようにすると共に使用する場合に発光部を発光するのは上実施形態と同じである。
【００４２】
本実施形態においては、水栓装置５を使用していない時には、操作表示部１の内部は見えずカラン５１の存在のみが感じられるものであり、水栓装置５を使用する時には、発光部の発光により表示板部６の表示６１がハーフミラー越し見えて、従来のように使用していない時に押し釦等の部材が露出して見えて高級感が損なわれるといったことがないうえに、使用している時にも高級感を醸し出すことができる。  
【図面の簡単な説明】
【００４３】
【図１】本発明の一実施形態を示し、（ａ）は断面図であり、（ｂ）は操作表示部の平面図であり、（ｃ）は光源が発光している時に使用者からみえる操作表示部の一例を示す平面図であり、（ｄ）は表示板部の平面図である。
【図２】本発明の他の実施形態を示し、（ａ）は断面図であり、（ｂ）は光源が発光している時に使用者からみえる操作表示部の一例を示す平面図であり、（ｃ）は操作表示部の裏面図であり、（ｄ）は表示板部の平面図である。
【図３】本発明の更に他の実施形態を示し、（ａ）は断面図であり、（ｂ）は光源が発光している時に使用者からみえる操作表示部の一例を示す平面図であり、（ｃ）は操作表示部の裏面図であり、（ｄ）は表示板部の平面図である。
【図４】同上の実施形態を示し、（ａ）は光源が発光していない状態の外観斜視図であり、（ｂ）は光源が発光している状態の外観斜視図である。
【図５】本発明の更に他の実施形態を示し、（ａ）は断面図であり、（ｂ）は光源が発光している時に使用者からみえる操作表示部の一例を示す平面図であり、（ｃ）は表示板部の平面図である。
【図６】水栓装置を備えたビルトインアルカリ整水器の全体構成図である。
【符号の説明】
【００４４】
１          操作表示部
１１      操作スイッチ
１２      非透光部
１３      透光部
２          光源
５          水栓装置
５１      カラン
５２      排水管
６          表示板部
６１      表示
【図１】
0004742967.tif 000002
【図２】
0004742967.tif 000003
【図３】
0004742967.tif 000004
【図４】
0004742967.tif 000005
【図５】
0004742967.tif 000006
【図６】
0004742967.tif 000007